(57)【要約】【課題】装置等に挿入された、特定種類の光ディスクを優先的に判別することにより、特定種類の光ディスクの再生開始までに要する時間を短くする。【解決手段】上記の課題を解決するために、光ディスク１に光ビーム９を照射して光ディスク１の種別を判別する記録媒体判別装置において、光ディスク１からの光ビーム９の反射光を受光して受光信号を出力するピックアップ２と、複数種類の光ディスク１のうち予め設定された光ディスク１における記録トラックのウォブル周波数に対応する特定ウォブル周波数信号を出力された受光信号から抽出するためのフィルタ回路４１と、複数種類の光ディスク１のうち特定光ディスク１以外の他の光ディスク１における記録トラックのウォブル周波数に対応する他のウォブル周波数信号を出力された受光信号から抽出するためのフィルタ回路４２と、特定ウォブル周波数信号と他のウォブル周波数信号との少なくともいずれか一つを用いて光ディスク１の種別を判別するマイコン６と、を備えることを特徴とする。【選択図】  図１
2004342158.tif 000002
【特許請求の範囲】
【請求項１】
記録媒体に光ビームを照射して当該記録媒体の種別を判別する記録媒体判別装置において、
前記記録媒体からの前記光ビームの反射光を受光して受光信号を出力する受光手段と、
複数種類の前記記録媒体のうち特定記録媒体における記録トラックの蛇行周波数に対応する特定蛇行周波数信号を前記出力された受光信号から抽出するための第一抽出手段と、
複数種類の前記記録媒体のうち前記特定記録媒体以外の他の記録媒体における記録トラックの蛇行周波数に対応する他の蛇行周波数信号を前記出力された受光信号から抽出するための第二抽出手段と、
前記特定蛇行周波数信号と前記他の蛇行周波数信号との少なくともいずれか一つを用いて前記記録媒体の種別を判別する判別手段と、
を備えることを特徴とする記録媒体判別装置。
【請求項２】
請求項１に記載の記録媒体判別装置において、
前記判別手段は、前記他の蛇行周波数信号より先に前記特定蛇行周波数信号を用いて前記記録媒体の種別を判別することを特徴とする記録媒体判別装置。
【請求項３】
請求項１又は２に記載の記録媒体判別装置と、
前記記録媒体判別装置により判別された前記記録媒体の種別に基づき、前記記録媒体に記録されている情報を再生する再生手段と、
を備えることを特徴とする情報再生装置。
【請求項４】
請求項１又は２に記載の記録媒体判別装置と、
前記記録媒体判別装置により判別された前記記録媒体の種別に基づき、情報を前記記録媒体に記録する記録手段と、
を備えることを特徴とする情報記録装置。
【発明の詳細な説明】
【０００１】
【発明の属する技術分野】
本発明は、記録媒体判別装置、情報再生装置および情報記録装置に関するものである。
【０００２】
【従来の技術】
記録媒体には、ウォブルが形成されている光ディスクが複数種類存在する。従来から、情報再生装置等に挿入された光ディスクの種別を光ディスクに形成されているウォブルの周波数を調べることによって判別する手法があり、保護されたコンテンツが記録されている光ディスクにおいてはこのウォブル周波数を調べることにより光ディスクの種別を判別する場合がある。
【０００３】
光ディスクに形成されたウォブルとは、光ディスクに形成された蛇行した記録トラックの形状をさし、ウォブル周波数とは蛇行した記録トラックの蛇行周波数をさす。詳細については特許文献１に開示されている。
【特許文献１】
特開２００２−２９８４９８
【０００４】
【発明が解決しようとする課題】
情報再生装置等では、装置に挿入された光ディスクの再生動作又は記録動作を開始する場合に、挿入された光ディスクの種別を判別し、その光ディスクに適応した再生状態又は記録状態に装置をセットアップする必要がある。上述のような光ディスクの種別を判別する手法を採用している情報再生装置等では、ウォブル周波数を調べることにより当該装置に挿入された光ディスクの種別を判別している。そのような場合、光ディスクの種類に対応するフィルタ回路の定数等を順次変更しつつ光ディスクからの反射光をそのフィルタ回路に通すことによりウォブル周波数を調べなければならない。よって、装置に挿入された光ディスクの種別が判別されるまでに時間がかかり、その結果、例えば、情報再生装置では、挿入された光ディスクの種類にかかわらず、光ディスクが装置に挿入されてから、その挿入された光ディスクのセットアップが完了して映像や音声などの情報が提供されるまでに必要以上の時間がかかるという問題があった。
【０００５】
本発明が解決しようとする課題の一例として、光ディスクの種別の判別を効率よく行なうことによりそれに要する時間を短縮することができる記録媒体判別装置、情報再生装置、情報記録装置を提供することにある。
【０００６】
【課題を解決するための手段】
上記の課題を解決するために請求項１に記載の発明は、光ディスク等の記録媒体に光ビームを照射して当該記録媒体の種別を判別する記録媒体判別装置において、前記記録媒体からの前記光ビームの反射光を受光して受光信号を出力する光ピックアップ等の受光手段と、複数種類の前記記録媒体のうち特定記録媒体における記録トラックのウォブル周波数等の蛇行周波数に対応する特定蛇行周波数信号を前記出力された受光信号から抽出するためのフィルタ回路等の第一抽出手段と、複数種類の前記記録媒体のうち前記特定記録媒体以外の他の記録媒体における記録トラックの蛇行周波数に対応する他の蛇行周波数信号を前記出力された受光信号から抽出するためのフィルタ等の第二抽出手段と、前記特定蛇行周波数信号と前記他の蛇行周波数信号との少なくともいずれか一つを用いて前記記録媒体の種別を判別するマイコン等の判別手段と、を備えることを特徴とする。
【０００７】
上記の課題を解決するために請求項３に記載の発明は、請求項１又は２に記載の記録媒体判別装置と、前記記録媒体判別装置により判別された前記記録媒体の種別に基づき、前記記録媒体に記録されている情報を再生するマイコン等の再生手段と、を備えることを特徴とする。
【０００８】
上記の課題を解決するために請求項４に記載の発明は、請求項１又は２に記載の記録媒体判別装置と、前記記録媒体判別装置により判別された前記記録媒体の種別に基づき、情報を前記記録媒体に記録するマイコン等の記録手段と、を備えることを特徴とする。
【０００９】
【発明の実施の形態】
以下、本発明に係る情報記録再生装置の実施形態について説明する。
【００１０】
図１は、実施形態の情報記録再生装置の構成をブロック図で表したものである。
【００１１】
本実施形態の情報記録再生装置は、光ピックアップ２、ＲＦ（Ｒａｄｉｏ  Ｆｒｅｑｕｅｎｃｙ  ）信号増幅回路３、ウォブル検出用フィルタ回路４、サーボ信号処理回路５、マイコン６、ドライバ回路７、スピンドルモータ部８から構成される。
また、ウォブル検出用フィルタ回路４は、ＤＶＤ−ＲＷ（Ｄｉｇｉｔａｌ  Ｖｅｒｓａｔｉｌｅ  Ｄｉｓｃ−Ｒｅ−Ｒｅｃｏｒｄａｂｌｅ）およびＤＶＤ−Ｒ（ＤＶＤ−Ｒｅｃｏｒｄａｂｌｅ）ディスクのウォブル周波数を検出するための−ＲＷ／−Ｒ用フィルタ回路部４１、ＤＶＤ＋ＲＷおよびＤＶＤ＋Ｒディスクのウォブル周波数を検出するための＋ＲＷ／＋Ｒ用フィルタ回路部４２、およびスイッチＳＷ１から構成される。
【００１２】
光ディスク１に形成された情報ピットから情報を再生する場合には、マイコン６からの指令によりサーボ信号処理回路５がドライバ回路７にサーボ制御信号Ｓｃを送り、ドライバ回路７はサーボ制御信号Ｓｃに基づいて光ピックアップ２を駆動し、光ディスク１の所望の位置に光ピックアップ２を移動する。またドライバ回路７はスピンドルモータ部８にモータ制御信号Ｓｄを送る。スピンドルモータ部８は、モータ制御信号Ｓｄに基づき光ディスク１を回転させる。
【００１３】
光ピックアップ２から光ディスク１に光ビーム９を照射すると情報ピットの有無に対応した戻り光が発生する。その戻り光は、光ピックアップ２を介して光から電気信号である再生信号Ｓａに変換され、ＲＦ信号増幅回路３に送られる。この再生信号ＳａはＲＦ信号増幅回路３において増幅され、ＲＦ信号Ｓｇとしてサーボ信号処理回路５に入力される。サーボ信号処理回路５ではＲＦ信号Ｓｇを復調してエラー訂正等の処理を施し、マイコン６に送る。マイコン６では、所定の信号処理が施されたＲＦ信号Ｓｇを音声信号、又は映像信号として変換処理し、かつその変換処理された各信号をデジタルーアナログ変換して図示せぬスピーカや表示装置に出力する。そして、そのスピーカは入力された音声信号を音として出力し、また表示装置は入力された映像信号を映像として表示する。ＲＦ信号増幅回路３では、フォーカスエラー信号やトラッキングエラー信号等を生成し、サーボ信号処理回路５に送る。そして、それらの信号に基づきサーボ信号処理回路５はサーボ制御信号Ｓｃを生成してドライバ回路７に送る。そして、ドライバ回路７はそのサーボ制御信号Ｓｃに基づき光ピックアップ２のフォーカス調整、トラッキング調整やスピンドルモータ部８の回転数を適宜制御する。また、再生信号ＳａはＲＦ信号増幅回路３において増幅され、プッシュプル信号Ｓｂとしてウォブル検出用フィルタ回路４に送られる。
【００１４】
マイコン６からの制御信号Ｓｈによって、スイッチＳＷ１を駆動し、接点ＳＷ１Ｂと接点ＳＷ１Ｃとを接続することによって、光ディスク１の一種類であるところのＤＶＤ−ＲＷディスクおよびＤＶＤ−Ｒディスクのウォブル周波数を検出するための−ＲＷ／−Ｒ用フィルタ回路部４１を選択する。また、マイコン６からの制御信号Ｓｈによって、スイッチＳＷ１を駆動し、接点ＳＷ１Ａと接点ＳＷ１Ｃとを接続することによって、光ディスク１の一種類であるところのＤＶＤ＋ＲＷディスクおよびＤＶＤ＋Ｒディスクのウォブル周波数を検出するための＋ＲＷ／＋Ｒ用フィルタ回路部４２を選択する。
【００１５】
−ＲＷ／−Ｒ用フィルタ回路部４１または＋ＲＷ／＋Ｒ用フィルタ回路部４２を介して帯域制限信号Ｓｅがサーボ信号処理回路５に入力される。サーボ信号処理回路５によって帯域制限信号Ｓｅの周波数が計測され、その周波数値がマイコン６に送られる。マイコン６においてその周波数値にしたがって光ディスク１の種別が判別される。
【００１６】
また、光ディスク１に情報を記録する場合には、マイコン６からの指令によりサーボ信号処理回路５がドライバ回路７にサーボ制御信号Ｓｃを送る。ドライバ回路７はサーボ制御信号Ｓｃに基づいて光ピックアップ２を駆動し、光ディスク１の所望の位置に光ピックアップ２を移動する。またドライバ回路７はスピンドルモータ部８にモータ制御信号Ｓｄを送る。スピンドルモータ部８は、モータ制御信号Ｓｄに基づき光ディスク１を回転させる。外部から入力された情報がマイコン６により所定の信号処理を施し、その所定の信号処理が施された情報を記録用信号Ｓｉとして光ピックアップ２に送る。そして、光ピックアップ２は、再生時に用いるものより強度の光ビーム９を光ディスク上に照射してその記録用信号Ｓｉを光ディスク１に記録する。光ディスク１には記録された記録用信号Ｓｉにより情報ピットが形成される。
【００１７】
なお、マイコン６にて光ディスクの種別が判別されるとその種別に基づき、光ディスク１の再生又は記録のための設定を行う。つまり、マイコン６がサーボ信号処理回路５に判別された光ディスク１の種別に応じた設定を行う旨の指令を送ることにより、サーボ信号処理回路５がドライバ回路７を制御して、スピンドルモータ部８の回転数や、光ピックアップ２から照射されるレーザ光９の強度等が設定される。
【００１８】
次に−ＲＷ／−Ｒ用フィルタ回路部４１または＋ＲＷ／＋Ｒ用フィルタ回路部４２について更に詳細に説明する。
【００１９】
図２（ａ）に本実施形態に用いた−ＲＷ／−Ｒ用フィルタ回路部４１および＋ＲＷ／＋Ｒ用フィルタ回路部４２の周波数利得特性図を示す。図２（ｂ）に本実施形態に用いた−ＲＷ／−Ｒ用フィルタ回路部４１および＋ＲＷ／＋Ｒ用フィルタ回路部４２の周波数位相特性図を示す。図２（ａ）および図２（ｂ）のいずれの周波数特性図も、光ディスク１を再生する場合の通常回転数の１．３倍にしたときの周波数特性を示す。したがって、ＤＶＤ−ＲＷディスクおよびＤＶＤ−Ｒディスクの  通常回転数におけるウォブル周波数である１４０．６４５ｋＨｚの１．３倍の約１８３ｋＨｚが−ＲＷ／−Ｒ用フィルタ回路部４１の中心周波数Ａ１となっており、ＤＶＤ＋ＲＷおよびＤＶＤ＋Ｒディスクの通常回転数におけるウォブル周波数である８１７ｋＨｚの１．３倍の約１０６２ｋＨｚが＋ＲＷ／＋Ｒ用フィルタ回路部４２の中心周波数Ｂ１となっている。本実施形態においては、光ディスク１の種別を判別する場合に光ディスク１を再生する場合の通常回転数の１．３倍の回転数にして光ディスクを回転させているが、回転数はこれに限られるわけではなく、任意の回転数とすることができる。したがって、フィルタ回路の中心周波数は光ディスクの回転数に応じた値とすることができるのは当然のことである。
【００２０】
図２（ａ）は横軸に周波数を対数目盛りで示し、縦軸に利得（ｄＢ：デシベル）を表している。グラフＡは−ＲＷ／−Ｒ用フィルタ回路部４１の周波数利得特性を表し、グラフＢは＋ＲＷ／＋Ｒ用フィルタ回路部４２の周波数利得特性を表す。−ＲＷ／−Ｒ用フィルタ回路部４１の中心周波数は約１８３ｋＨｚであり、中心周波数Ａ１から２４７ｋＨｚの通過帯域幅を持ち、その通過帯域幅より高い周波数および低い周波数では−４０ｄＢ／ｄｅｃａｄｅで減衰している。＋ＲＷ／＋Ｒ用フィルタ回路部４２の中心周波数は約１０６２ｋＨｚであり、中心周波数Ｂ１から８０７ｋＨｚの通過帯域幅を持ち、その通過帯域幅より高い周波数および低い周波数では−４０ｄＢ／ｄｅｃａｄｅで減衰している。
【００２１】
したがって、−ＲＷ／−Ｒ用フィルタ回路部４１および＋ＲＷ／＋Ｒ用フィルタ回路部４２はバンドパスフィルターとしての十分な機能を持っている。
【００２２】
図２（ｂ）は横軸に周波数を対数目盛りで示し、縦軸に位相（度）を表している。グラフＡは−ＲＷ／−Ｒ用フィルタ回路部４１の周波数位相特性を表し、グラフＢは＋ＲＷ／＋Ｒ用フィルタ回路部４２の周波数位相特性を表す。−ＲＷ／−Ｒ用フィルタ回路部４１の中心周波数Ａ１は約１８３ｋＨｚであり、中心周波数Ａ１から周波数が低くなると位相が正の値となり、最大＋１８０度まで変化する。中心周波数Ａ１から周波数が高くなると位相が負の値となり、最大−１８０度まで変化する。グラフＢは−ＲＷ／−Ｒ用フィルタ回路部４１の周波数利得特性を表す。＋ＲＷ／＋Ｒ用フィルタ回路部４２の中心周波数Ｂ１は約１０６２ｋＨｚであり、中心周波数Ｂ１から周波数が低くなると位相が正の値となり、最大＋１８０度まで変化する。中心周波数から周波数が高くなると位相が負の値となり、最大−１８０度まで変化する。
【００２３】
したがって、−ＲＷ／−Ｒ用フィルタ回路部４１および＋ＲＷ／＋Ｒ用フィルタ回路部４２はバンドパスフィルターとして安定した回路であることがわかる。
【００２４】
次に、本実施形態の動作についてフローチャートを用いて説明する。図３に光ディスクの種別を判別するフローチャートを示す。
【００２５】
ステップＳ０において、光ディスクの種別の判別および再生処理が開始される。
【００２６】
ステップＳ１において、情報記録再生装置に光ディスク１が挿入される。
【００２７】
ステップＳ２において、情報記録再生装置はセットアップ動作を開始する。まず、マイコン６からの指令によりサーボ信号処理回路５がドライバ回路７にサーボ制御信号Ｓｃを送り、ドライバ回路７はサーボ制御信号Ｓｃに基づいて光ピックアップ２を駆動し、光ディスク１の所望の位置に光ピックアップ２を移動させる。またドライバ回路７はスピンドルモータ部８にモータ制御信号Ｓｄを送り、スピンドルモータ部８は、モータ制御信号Ｓｄに基づき光ディスク１を回転させる。そして、光ピックアップ２のフォーカス調整、トラッキング調整を行う。
【００２８】
ステップＳ３において、挿入された光ディスク１がＤＶＤであることが確認される。確認方法は、光ピックアップ２の波長を変化させたときのサーボ信号Ｓｆの変化によって確認するなどの方法がある。
【００２９】
ステップＳ４において、光ピックアップ２は、サーボ信号処理回路５からのサーボ制御信号Ｓｃに基づき光ディスク１の記録層数のデータが記録されている情報ピット位置に移動する。その位置において、光ビーム９が照射され光ディスクの記録層番号が記録されている情報ピットが読み出される。（記録層番号を含む情報を以下ＩＤ（Ｉｄｅｎｔｉｆｉｃａｔｉｏｎ）情報と称す。）光ビーム９が光ディスク１に照射され、その戻り光が光ピックアップ２において光から電気信号に変換され、再生信号Ｓａとして増幅回路３に入力され、増幅されてＲＦ信号Ｓｇとしてサーボ信号処理回路５に入力される。サーボ信号処理回路５では、ＲＦ信号Ｓｇを復調し、エラー検出訂正を行うことによりＩＤ情報が得られる。そして、そのＩＤ情報をマイコン６に出力する。
【００３０】
ステップＳ５において、マイコン６によりＩＤ情報が２層目を表していると判断された場合（ステップＳ５：Ｎｏ）はステップＳ６に進み、１層目を表していると判断された場合（ステップＳ５：Ｙｅｓ）にはステップＳ８に進む。
【００３１】
ステップＳ６ではＩＤ情報が２層目を表しているので、光ディスク１は再生専用の２層光ディスクと判断される。そして、マイコン６からの指令によりサーボ信号処理回路５は、ドライバ回路７を制御して、再生専用のＤＶＤを再生する状態に設定する。この設定が完了した状態において、セットアップ動作が完了する。
【００３２】
ステップＳ７では光ディスク１の再生が開始される。そして、ステップＳ１８に進む。ステップＳ１８では、光ディスク１の再生を終了するか否かが判断される。
【００３３】
ステップＳ１８において挿入された光ディスク１の再生を終了する場合（ステップＳ１８：Ｙｅｓ）にはステップＳ２２に進み、終了しない場合（ステップＳ１８：Ｎｏ）にはステップＳ７に進む。
【００３４】
このような構成によって、記録タイプではない２層光ディスクに対してウォブル周波数の検出を行うことなく、早く再生動作開始することができるようになり、使用者の再生待ち時間を短縮することが可能となる。
【００３５】
次に、ウォブル周波数を検出するステップＳ８以降について説明する。
【００３６】
ステップＳ８においてウォブル周波数検出が開始される。
【００３７】
ステップＳ９において、一種類の光ディスクに使用されているウォブルの周波数を検出するために、一種類の帯域制限フィルタ回路が選択される。ここでは、一つの例としてＤＶＤ−ＲＷおよびＤＶＤ−Ｒディスク用の−ＲＷ／−Ｒ用フィルタ回路部４１が選択される。マイコン６からの制御信号Ｓｈによって、スイッチＳＷ１が駆動され、接点ＳＷ１Ｂと接点ＳＷ１Ｃとが接続されることによって−ＲＷ／−Ｒ用フィルタ回路部４１が選択される。ステップＳ１０において、−ＲＷ／−Ｒ用フィルタ回路部４１を通過した帯域制限信号Ｓｅが、サーボ信号処理回路５に入力される。
【００３８】
ステップＳ１１において、帯域制限信号Ｓｅの主な周波数成分が、ＤＶＤ−ＲＷ、ＤＶＤ−Ｒに形成されているウォブルの周波数と一致しているか否かが判別される。その周波数は、本実施形態においては例えば１４０．６４５ＫＨｚ±５０ＫＨｚの範囲にあるか否かで判断されるが、他種類の光ディスクのウォブル周波数と区別するためには、ウォブル周波数の主な周波数間の任意の周波数および任意の周波数の幅を選択できる。したがってこの実施形態の周波数に限られない。帯域制限信号Ｓｅから光ディスク１がＤＶＤ−ＲＷ、ＤＶＤ−Ｒタイプの光ディスクと判断された場合には、ステップＳ１７に進み、光ディスク１がＤＶＤ−ＲＷ、ＤＶＤ−Ｒタイプの光ディスクと判断されなかった場合には、ステップＳ１２に進む。
【００３９】
ステップＳ１２において、他の種類の光ディスクに使用されているウォブルの周波数を検出するために、他の種類の帯域制限フィルタ回路が選択される。ここでは、一つの例としてＤＶＤ＋ＲＷディスクおよびＤＶＤ＋Ｒディスク用の＋ＲＷ／＋Ｒ用フィルタ回路部４２が選択される。マイコン６からの制御信号Ｓｈによって、スイッチＳＷ１が駆動され、接点ＳＷ１Ｂと接点ＳＷ１Ａが接続されることによって＋ＲＷ／＋Ｒ用フィルタ回路部４２が選択される。
【００４０】
ステップ１３において、＋ＲＷ／＋Ｒ用フィルタ回路部４２を通過した帯域制限信号Ｓｅが、サーボ信号処理回路５に入力される。
【００４１】
ステップＳ１４において、帯域制限信号Ｓｅの主な周波数成分が、ＤＶＤ＋ＲＷディスク及びＤＶＤ＋Ｒディスクに形成されているウォブルの周波数と一致しているか否かが判別される。その周波数は、本実施形態においては例えば８１７ＫＨｚ±５０ＫＨｚの範囲にあるか否かで判断されるが、他種類の光ディスクのウォブル周波数と区別するためには、ウォブル周波数の主な周波数間の任意の周波数および任意の周波数の幅を選択できる。帯域制限信号Ｓｅから光ディスクがＤＶＤ＋ＲＷ、ＤＶＤ＋Ｒタイプの光ディスクと判別された場合には、ステップＳ１６に進み、光ディスク１がＤＶＤ＋ＲＷ、ＤＶＤ＋Ｒタイプの光ディスクと判別されなかった場合には、ステップＳ１５に進む。
【００４２】
ステップＳ１５においては、−ＲＷ／−Ｒ用フィルタ回路部４１、＋ＲＷ／＋Ｒ用フィルタ回路部４２のいずれのフィルタ回路部でもプッシュプル信号Ｓｂの周波数成分が抽出されなかった場合には、挿入された光ディスク１は再生専用の光ディスクであるＤＶＤ−ＲＯＭディスクと判別され、サーボ信号処理回路５はマイコン６からの指令によりＤＶＤ−ＲＯＭディスクを再生する状態に設定する。この設定が完了した状態においてセットアップ動作が完了する。そして、光ディスク１の再生動作を開始する。そして、ステップＳ１９に進む。
【００４３】
ステップ１６においては、挿入された光ディスク１は記録可能な光ディスクであるＤＶＤ＋ＲＷディスクまたはＤＶＤ＋Ｒディスクと判別され、サーボ信号処理回路５はマイコン６からの指令によりＤＶＤ＋ＲＷディスクまたはＤＶＤ＋Ｒディスクを再生する状態に設定する。この設定が完了した状態においてセットアップ動作が完了する。そして、光ディスク１の再生動作を開始する。そして、ステップＳ２０に進む。
【００４４】
ステップ１７においては、挿入された光ディスク１は記録可能な光ディスクであるＤＶＤ−ＲＷディスクまたはＤＶＤ−Ｒディスクと判別され、サーボ信号処理回路５はマイコン６からの指令によりＤＶＤ―ＲＷディスクまたはＤＶＤ―Ｒディスクを再生する状態に設定する。この設定が完了した状態においてセットアップ動作が完了する。そして、光ディスク１の再生動作を開始する。そして、ステップＳ２１に進む。
【００４５】
ステップＳ１９では、光ディスク１の再生を終了するか否かが判断される。
【００４６】
ステップＳ１９において挿入された光ディスク１の再生を終了する場合（ステップＳ１９：Ｙｅｓ）にはステップＳ２２に進み、終了しない場合（ステップＳ１９：Ｎｏ）にはステップＳ１５に進む。
【００４７】
ステップＳ２０では、光ディスク１の再生を終了するか否かが判断される。
【００４８】
ステップＳ２０において挿入された光ディスクの再生を終了する場合（ステップＳ２０：Ｙｅｓ）にはステップＳ２２に進み、終了しない場合（ステップＳ２０：Ｎｏ）にはステップＳ１６に進む。
【００４９】
ステップＳ２１では、光ディスク１の再生を終了するか否かが判断される。
【００５０】
ステップＳ２１において挿入された光ディスク１の再生を終了する場合（ステップＳ２１：Ｙｅｓ）にはステップＳ２２に進み、終了しない場合（ステップＳ２１：Ｎｏ）にはステップＳ１７に進む。
【００５１】
本実施形態では、以上のような構成にすることで、ＤＶＤ−ＲＷディスクまたはＤＶＤ−Ｒディスクの判別に要する時間を短縮して、ＤＶＤ−ＲＷディスクまたはＤＶＤ−Ｒディスクが挿入されてからセットアップ動作完了までの時間を短縮することができる。本実施形態においては、ウォブル周波数の抽出にＤＶＤ−ＲＷまたはＤＶＤ−Ｒ用のフィルタ回路部４１を図３のウォブル検出フロ−チャ−トにおいて最初に（優先的に）適用したが、これに限定されるわけではなく、いち早く判断すべき種類の光ディスクに好適なフィルタ回路を判別手段として最初に（優先的に）適用することができる。なお、上述した図３に示すフローチャートは、光ディスクの種別の判別および再生処理を示すものであるが、光ディスクの種別の判別および記録処理についてもほぼ同様のフローチャートにより実施が可能となる。記録処理に適用する場合では、ステップＳ５、ステップＳ１４において再生専用の光ディスク１と認識された場合には、再生に移行せずにその光ディスク１を装置外に排出する処理となる。また、ステップＳ１１、ステップＳ１４にて各々記録可能な光ディスク１と認識された場合には、ステップＳ１６、ステップＳ１７にて外部からの情報を光ディスク１に記録する処理を行う。
【００５２】
次にステップＳ８、Ｓ１０、Ｓ１３において観測される信号波形について説明する。
【００５３】
図４はステップＳ８におけるプッシュプル信号Ｓｂの波形を模式的に示した図である。横軸は時間軸で１０μｓ／ｄｉｖｉｓｉｏｎ（１ｄｉｖｉｓｉｏｎは縦・横軸の１目盛りを示し、以下１ｄｉｖ．と称する。）で示されている。縦軸はプッシュプル信号Ｓｂの大きさを電圧で示したものであり、２００ｍＶ／ｄｉｖ．で示されている。ウォブル検出フィルタ回路４を通過する前のプッシュプル信号Ｓｂには、特徴的な周波数は確認されず不規則な信号となっている。したがって、光ディスクのウォブル周波数を検出することができないので、光ディスク１の種別を判別することができない。
【００５４】
図５（ａ）はステップＳ１０において、ＤＶＤ−ＲＷおよびＤＶＤ−Ｒディスクから得られるプッシュプル信号Ｓｂから、−ＲＷ／−Ｒ用フィルタ回路部４１、スイッチＳＷ１の接点ＳＷ１Ｂおよび接点ＳＷ１Ｃを介して得られる帯域制限信号Ｓｅである。横軸は時間軸で１０μｓ／ｄｉｖ．で示され、縦軸は帯域制限信号Ｓｅの大きさを電圧で示したものであり、２００ｍＶ／ｄｉｖ．で示されている。周波数約１８３ｋＨｚの正弦波が得られている。サーボ信号処理回路５で帯域制限信号Ｓｅの周波数計測がされる。マイコン６でその周波数を判別することによって、記録再生を行おうとしている光ディスク１がＤＶＤ−ＲＷまたはＤＶＤ−Ｒディスクであることが判別される。
【００５５】
図５（ｂ）はステップＳ１３においてＤＶＤ＋ＲＷまたはＤＶＤ＋Ｒディスクから得られるプッシュプル信号Ｓｂから、＋ＲＷ／＋Ｒ用フィルタ回路部４２、スイッチＳＷ１の接点ＳＷ１Ａおよび接点ＳＷ１Ｃを介して得られる帯域制限信号Ｓｅである。横軸は時間軸で１μｓ／ｄｉｖ．で示され、縦軸は帯域制限信号Ｓｅの大きさを電圧で示したものであり、２００ｍＶ／ｄｉｖ．で示されている。周波数約約１０６２ｋＨｚの正弦波が得られている。サーボ信号処理回路５で帯域制限信号Ｓｅの周波数計測がされる。マイコン６でその周波数を判別することによって、記録再生を行おうとしている光ディスク１がＤＶＤ＋ＲＷまたはＤＶＤ＋Ｒディスクであることが判別される。
【００５６】
図６（ａ）はステップＳ１０においてＤＶＤ−ＲＯＭディスクから得られるプッシュプル信号Ｓｂから、−ＲＷ／−Ｒ用フィルタ回路部４１、スイッチＳＷ１の接点ＳＷ１Ｂおよび接点ＳＷ１Ｃを介して得られる帯域制限信号Ｓｅである。横軸は時間軸で１０μｓ／ｄｉｖ．で示され、縦軸は帯域制限信号Ｓｅの大きさを電圧で示したものであり、２００ｍＶ／ｄｉｖ．で示されている。単一周波数成分波形信号ではなく、サーボ信号処理回路５で帯域制限信号Ｓｅの周波数計測ができない結果、マイコン６で光ディスク１の種別の判別ができないことが分かる。したがって、記録再生を行おうとしている光ディスク１がＤＶＤ−ＲＷおよびＤＶＤ−Ｒディスクではないと判別される。
【００５７】
図６（ｂ）はステップＳ１３においてＤＶＤ−ＲＯＭディスクから得られるプッシュプル信号Ｓｂから、＋ＲＷ／＋Ｒ用フィルタ回路部４２、スイッチＳＷ１の接点ＳＷ１Ａおよび接点ＳＷ１Ｃを介して得られる帯域制限信号Ｓｅである。横軸は時間軸で１μｓ／ｄｉｖ．で示され、縦軸は帯域制限信号Ｓｅの大きさを電圧で示したものであり、２００ｍＶ／ｄｉｖ．で示されている。単一周波数成分波形信号ではなく、サーボ信号処理回路５で帯域制限信号Ｓｅの周波数計測ができない結果、マイコン６で光ディスク１の種別の判別ができないことが分かる。したがって、記録再生を行おうとしている光ディスク１がＤＶＤ＋ＲＷおよびＤＶＤ＋Ｒディスクではないと判別される。
【００５８】
以上、−ＲＷ／−Ｒ用フィルタ回路部４１または＋ＲＷ／＋Ｒ用フィルタ回路部４２を通過したプッシュプル信号Ｓｂが単一周波数成分波形信号となることによってサーボ信号処理回路５で周波数計測が行われる結果、ＤＶＤ−ＲＷディスク、ＤＶＤ−ＲディスクまたはＤＶＤ＋ＲＷディスク、ＤＶＤ＋Ｒディスクであることが判別されることを説明した。
【００５９】
したがって、光ディスクに光ビームを照射して光ディスクの種別を判別する情報記録再生装置において、光ディスクからの光ビームの反射光を受光して受光信号を出力する光ピックアップと、複数種類の光ディスクのうち予め設定された特定光ディスクにおける記録トラックのウォブル周波数に対応する特定ウォブル周波数信号Ｓｅを出力された受光信号から抽出するためのフィルタ回路４１と、複数種類の光ディスクのうち特定光ディスク以外の他の光ディスクにおける記録トラックのウォブル周波数に対応する他のウォブル周波数信号を出力された受光信号から抽出するためのフィルタ回路４２と、特定ウォブル周波数信号と他のウォブル周波数信号との少なくともいずれか一つを用いて光ディスクの種別を判別するマイコン６と、を備えることによってウォブル周波数を検出することにより光ディスクの種別を判別することができるようになる。
【００６０】
また、記録媒体判別装置において、マイコンは、前記他のウォブル周波数信号より先に前記特定ウォブル周波数信号を用いて光ディスクの種別を判別することによって、特定の光ディスクの判別が優先的にできるようになったので、特定の光ディスクの判別時間を短縮することが可能となった。
【００６１】
【実施例】
図７（ａ）は図５（ａ）における−ＲＷ／−Ｒ用フィルタ回路部４１を通過した帯域制限信号Ｓｅがサーボ信号処理回路５において周波数計測が終了するまでに要する時間を表す図である。横軸は時間軸で１００ｍｓ／ｄｉｖ．で示され、縦軸は信号Ｓｅの大きさを電圧で示したものであり、２００ｍＶ／ｄｉｖ．で示されている。Ｃはウォブル検出信号を示し、Ａ２でウォブル検出を開始して、Ａ３でウォブル検出を終了したことを表す。約１３４ｍ秒かかっていることが分かる。
【００６２】
図７（ｂ）は図５（ｂ）における＋ＲＷ／＋Ｒ用フィルタ回路部４２を通過した帯域制限信号Ｓｅがサーボ信号処理回路５において周波数計測が終了するまでに要する時間を表す図である。横軸は時間軸で１００ｍｓ／ｄｉｖ．で示され、縦軸は信号Ｓｅの大きさを電圧で示したものであり、２００ｍＶ／ｄｉｖ．で示されている。Ｃはウォブル検出信号を示し、Ａ４でウォブル検出を開始して、Ａ５でウォブル検出を終了したことを表す。約５６２ｍ秒かかっていることが分かる。
【００６３】
したがって、本実施例によれば、ウォブル検出時にその検出時間の短い−ＲＷ／−Ｒ用フィルタ回路部４１を＋ＲＷ／＋Ｒ用フィルタ回路部４２より先に使用することにより、ＤＶＤ−ＲＷディスクまたはＤＶＤ−Ｒディスクを優先的に判別するようにして、ＤＶＤ−ＲＷディスクまたはＤＶＤ−Ｒディスクの判別に要する時間を短縮し、それら光ディスクを再生しようとする使用者に対しては、それらの光ディスクを挿入してから再生が開始されるまでの待ち時間を短くすることが可能となった。また、ＤＶＤ＋ＲＷディスクまたはＤＶＤ＋Ｒディスクを挿入した場合でも、ウォルブ検出時間の短いフィルタ回路を優先的に使用していることにより、光ディスクの種別の判別に要する時間短縮が図れることになる。
【図面の簡単な説明】
【図１】実施形態の情報記録再生装置のブロック図である。
【図２】本実施形態に用いたフィルタ回路の周波数特性図を示す。（ａ）は−ＲＷ／−Ｒ用フィルタ回路４１および＋ＲＷ／＋Ｒ用フィルタ回路４２の周波数利得特性図を示す。（ｂ）は−ＲＷ／−Ｒ用フィルタ回路４１および＋ＲＷ／＋Ｒ用フィルタ回路４２の周波数位相特性図を示す。
【図３】光ディスクの種別を判別するフローチャートである。
【図４】プッシュプル信号Ｓｂを模式的に示した図である。
【図５】帯域制限信号Ｓｅを模式的に示した図である。（ａ）はＤＶＤ−ＲＷまたはＤＶＤ−Ｒディスクから得られる、−ＲＷ／−Ｒ用フィルタ回路部４１通過後の帯域制限信号Ｓｅである。（ｂ）はＤＶＤ＋ＲＷまたはＤＶＤ＋Ｒディスクから得られる、＋ＲＷ／＋Ｒ用フィルタ回路部４２通過後の帯域制限信号Ｓｅである。
【図６】ＤＶＤ−ＲＯＭから得られる帯域制限信号Ｓｅを模式的に示した図である。（ａ）はＤＶＤ−ＲＯＭディスクから得られる、−ＲＷ／−Ｒ用フィルタ回路部４１通過後の帯域制限信号Ｓｅである。（ｂ）はＤＶＤ−ＲＯＭディスクから得られる、＋ＲＷ／＋Ｒ用フィルタ回路部４２通過後の帯域制限信号Ｓｅである。
【図７】サーボ信号処理回路５において周波数計測が終了するまでに要する時間を表す図である。（ａ）は−ＲＷ／−Ｒ用フィルタ回路部４１通過後に周波数計測が終了されるまでに要する時間を表す図である。（ｂ）は＋ＲＷ／＋Ｒ用フィルタ回路部４２通過後に周波数計測が終了されるまでに要する時間を表す図である。
【符号の説明】
１：光ディスク
２：光ピックアップ
３：ＲＦ信号増幅回路
４：ウォブル検出用フィルタ回路
５：サーボ信号処理回路
６：マイコン
７：ドライバ回路
８：スピンドルモータ
９：光ビーム
４１：−ＲＷ／−Ｒ用フィルタ回路部
４２：＋ＲＷ／＋Ｒ用フィルタ回路部
【図１】
2004342158.tif 000003
【図２】
2004342158.tif 000004
【図３】
2004342158.tif 000005
【図４】
2004342158.tif 000006
【図５】
2004342158.tif 000007
【図６】
2004342158.tif 000008
【図７】
2004342158.tif 000009